(57)【要約】      （修正有）【課題】マスクを衛生的に収納することができるマスクケースを提供する。【解決手段】マスクケース１は、側面部３３、３４、３５、３６および底面部を有する本体３と、閉じられた場合に側面部３３、３４、３５、３６に接触し、側面部３３、３４、３５、３６および底面部とともにマスクを収納する閉空間を形成する蓋２と、を備え、側面部３３、３４、３５、３６、底面部および蓋２は、少なくとも閉空間に面する部分が銅で構成される。【選択図】図１
0003228159.tif 000002
【実用新案登録請求の範囲】
【請求項１】
側面部および底面部を有する本体と、
閉じられた場合に前記側面部に接触し、前記側面部および前記底面部とともにマスクを収納する閉空間を形成する蓋と、を備え、
前記側面部、前記底面部および前記蓋は、少なくとも前記閉空間に面する部分が銅で構成される、マスクケース。
【請求項２】
前記側面部の一部と接続されて、収納される前記マスクを抑えるマスク抑え部を備え、
前記マスク抑え部は、少なくとも前記閉空間に面する部分が銅で構成される、請求項１に記載のマスクケース。
【請求項３】
前記蓋は、閉じられた場合に前記底面部と対向する側の反対側に向かって、中央部分が最も高くなるように突出し、
前記底面部は、前記蓋の形状に合わせて突出する突出底面部と、平坦であって前記側面部に接続される平坦底面部と、を含む、請求項１または２に記載のマスクケース。
【請求項４】
前記側面部は、前記蓋が前記本体に対して可動であるように接続する接続部を含む第１の側面と、前記第１の側面に対向する第２の側面と、前記第１の側面と前記第２の側面とを接続する第３の側面および第４の側面と、を含み、
前記第３の側面および前記第４の側面は、前記閉空間に面する側の反対側に向かって突出し、前記マスクの耳ひもを収納できる収納留め部を含み、
前記蓋は、閉じられた場合に前記収納留め部と嵌合する留め部を含む、請求項１から３のいずれか一項に記載のマスクケース。
【請求項５】
前記蓋は、少なくとも前記閉空間に面する部分が凹凸を有するように形成される、請求項１から４のいずれか一項に記載のマスクケース。
【請求項６】
中板をさらに備える、請求項１から５のいずれか一項に記載のマスクケース。
【考案の詳細な説明】
【技術分野】
【０００１】
本開示は、マスクケースに関する。
【背景技術】
【０００２】
感染症の予防および拡大防止の目的で、マスクが日常的に使用されることが増えてきている。また、マスクは、花粉および微小粒子状物質等の異物の吸引を防ぐ目的で、日常的に使用されることがある。マスクは、ガーゼまたは不織布を素材とするものが多く、不織布製の使い捨てタイプが広く使われている。しかし、使い捨てタイプのマスクであっても、食事等で一時的に外される場合には、その後に再び使用されることが通常である。
【０００３】
一時的にマスクを外す場合に、マスクを収納するマスクケースが使われることがある。例えば特許文献１は、乾燥剤および消毒剤を入れる部分を設けて、マスクの清潔さを保つことが可能なプラスチック製のマスクケースを開示する。
【先行技術文献】
【特許文献】
【０００４】
【特許文献１】実開平６−４８６９８号公報
【考案の概要】
【考案が解決しようとする課題】
【０００５】
ここで、乾燥剤および消毒剤は効果の持続時間が限られている。そのため、特許文献１のマスクケースは、マスクを収納する前に、使用者が乾燥剤および消毒剤の効果が持続していることを確認する、または、使用者が新しい乾燥剤および消毒剤に交換する必要がある。そのため、乾燥剤および消毒剤等の部材を必要とせずに、それ自体でマスクを衛生的に保つことができるマスクケースが望まれている。
【０００６】
かかる事情に鑑みてなされた本開示の目的は、マスクを衛生的に収納することができるマスクケースを提供することにある。
【課題を解決するための手段】
【０００７】
本開示の一実施例に係るマスクケースは、
側面部および底面部を有する本体と、
閉じられた場合に前記側面部に接触し、前記側面部および前記底面部とともにマスクを収納する閉空間を形成する蓋と、を備え、
前記側面部、前記底面部および前記蓋は、少なくとも前記閉空間に面する部分が銅で構成される。
【０００８】
上記のマスクケースにおいて、
前記側面部の一部と接続されて、収納される前記マスクを抑えるマスク抑え部を備え、
前記マスク抑え部は、少なくとも前記閉空間に面する部分が銅で構成されてよい。
【０００９】
上記のマスクケースにおいて、
前記蓋は、閉じられた場合に前記底面部と対向する側の反対側に向かって、中央部分が最も高くなるように突出し、
前記底面部は、前記蓋の形状に合わせて突出する突出底面部と、平坦であって前記側面部に接続される平坦底面部と、を含んでよい。
【００１０】
上記のマスクケースにおいて、
前記側面部は、前記蓋が前記本体に対して可動であるように接続する接続部を含む第１の側面と、前記第１の側面に対向する第２の側面と、前記第１の側面と前記第２の側面とを接続する第３の側面および第４の側面と、を含み、
前記第３の側面および前記第４の側面は、前記閉空間に面する側の反対側に向かって突出し、前記マスクの耳ひもを収納できる収納留め部を含み、
前記蓋は、閉じられた場合に前記収納留め部と嵌合する留め部を含んでよい。
【００１１】
上記のマスクケースにおいて、
前記蓋は、少なくとも前記閉空間に面する部分が凹凸を有するように形成されてよい。
【００１２】
上記のマスクケースにおいて、
中板をさらに備えてよい。
【考案の効果】
【００１３】
本開示によれば、マスクを衛生的に収納することができるマスクケースを提供することができる。
【図面の簡単な説明】
【００１４】
【図１】本開示の一実施例に係るマスクケースを示す図である。
【図２】本開示の一実施例に係るマスクケースを示す図である。
【図３】本開示の一実施例に係るマスクケースを示す図である。
【図４】本開示の一実施例に係るマスクケースを示す図である。
【図５】本開示の一実施例に係るマスクケースを示す図である。
【図６】本開示の一実施例に係るマスクケースを示す図である。
【考案を実施するための形態】
【００１５】
以下、図面を参照して、本開示の実施例に係るマスクケース１が説明される。
【００１６】
図１は一実施例に係るマスクケース１を示す。マスクケース１は、使用者が使用中または使用前のマスクを収納する入れ物である。マスクケース１は、蓋２と、本体３と、を備える。
【００１７】
本体３は、側面部および底面部３２を有する。底面部３２は、少なくとも一部が平坦であることが好ましい。マスクが収納された場合に、マスクケース１は、底面部３２を底にして安定に置かれ得る。側面部は、底面部３２の周囲に接して設けられる部分であって、側面を構成する。側面部は特に区分されなくてよいが、本実施例において４つの側面に区分されている。すなわち、本実施例において側面部は、第１の側面３３と、第２の側面３４と、第３の側面３５と、第４の側面３６と、を含む。
【００１８】
第１の側面３３は、蓋２が本体３に対して可動であるように接続する接続部４を含む。第２の側面３４は、第１の側面３３に対向する位置に設けられる。第３の側面３５および第４の側面３６は、第１の側面３３と第２の側面３４とを接続するように設けられる。第４の側面３６は、第３の側面３５に対向する位置に設けられる。
【００１９】
接続部４は、マスクを収納したり取り出したりする場合に蓋２が開いた状態になり（図１参照）、マスクの収納中に蓋２が側面部に接触して閉じた状態になるように、蓋２と本体３とを接続する部材である。接続部４の構成は限定されないが、例えば蝶番のピン（心棒）および管（軸筒）で構成され得る。
【００２０】
マスクケース１において、蓋２は、閉じられた場合に、側面部および底面部３２とともにマスクを収納する閉空間を形成する。収納されたマスクは、側面部の内側、底面部３２の内側および蓋２の内側に接触し得る。ここで、内側とは、側面部、底面部３２および蓋２の閉空間に面する側である。例えば蓋２の内側は、蓋２の内面２２である。
【００２１】
ここで、銅、銀、亜鉛、コバルトおよびニッケル等の金属は抗菌性を有する。特に銅は優れた抗菌性を有しており、純銅および銅分が６０質量％以上の合金について抗菌効果が期待できる。マスクケース１は、側面部、底面部３２および蓋２の少なくとも閉空間に面する部分、すなわち、収納されたマスクと接触し得る部分が銅で構成される。そのため、マスクケース１は、乾燥剤および消毒剤等の部材を必要とせずに、それ自体でマスクを衛生的に保つことができる。
【００２２】
本実施例において、マスクケース１は、収納されたマスクが飛び出さないように抑えるマスク抑え部５を、さらに備える。図１に示すように、マスク抑え部５は、側面部の一部（第２の側面３４、第３の側面３５および第４の側面３６）と接続されるように設けられる。
【００２３】
本実施例において、収納されたマスクは、マスク抑え部５の内側（閉空間に面する側）に接触し得る。そのため、マスク抑え部５は、少なくとも閉空間に面する部分が銅で構成される。ここで、図１に示すように、マスク抑え部５は、使用者が収納されたマスクを取り出しやすいように、第１の側面３３に近い辺の中央部分に窪みを有してよい。
【００２４】
また、本実施例において、マスクケース１は、蓋２に設けられた留め部２１と、本体３に設けられた留め部３１と、を備える。蓋２が閉じられた場合に、留め部２１は留め部３１と嵌合して、蓋２が閉じられた状態を保つ。
【００２５】
ここで、マスクケース１は、内部の閉空間にマスクを折りたたまずに収納できる大きさを有することが好ましい。一例として、マスクケース１は、縦１００ｍｍ×横１８５ｍｍ×高さ８ｍｍの大きさを有するように構成される。高さは、使用時のマスク（特に使い捨てタイプ）を折りたたまずに収納できるように、８〜１０ｍｍの大きさであることが好ましい。
【００２６】
図２は、図１と別の一実施例に係るマスクケース１を示す。以下、参照する図面において、図１と同じ要素については同じ符号を付して、詳細な説明を省略することがある。
【００２７】
本実施例に係るマスクケース１は、マスク抑え部５を備えず、第２の側面３４が曲面状である。使用前のマスクと異なり、使用中のマスクの形状は丸みを帯びることがある。本実施例に係るマスクケース１は、第２の側面３４を曲面状にすることによって、マスク抑え部５が無くても使用中のマスクを収納しやすい。
【００２８】
また、本実施例に係るマスクケース１は、閉じた場合に、留め部２１および留め部３１が、第２の側面３４の中央からずれた位置にある。このことによって、マスクケース１の縦幅（第１の側面３３の中央から第２の側面３４の中央へ向かう方向の幅）を、留め部２１の分だけ小さくすることができる。ただし、留め部２１および留め部３１の位置は限定されない。例えばマスクケース１の縦幅を小さくする必要がない場合には、留め部２１および留め部３１が中央に位置していてよい。
【００２９】
図３は、図１および図２と別の一実施例に係るマスクケース１を示す。ここで、マスクの中には、フィット感を高めた立体型のものがある。本実施例に係るマスクケース１は、立体型を含め、マスクを使用時に近い状態で収納することができる。
【００３０】
本実施例に係るマスクケース１は、蓋２が、中央部分が最も高くなるように突出している。詳細にいうと、蓋２は、閉じられた場合に底面部３２と対向する側（内面２２の側）の反対側に向かって突出する。また、底面部３２は、平坦底面部３２Ａと、突出底面部３２Ｂと、を含む。平坦底面部３２Ａは、図１および図２の底面部３２と同様に、平坦であって側面部に接続される。突出底面部３２Ｂは、中央部分に位置し、蓋２の形状に合わせて突出している。
【００３１】
ここで、本実施例に係るマスクケース１の側面部は、曲面状の第１の側面３３および第２の側面３４と、平面状の第３の側面３５および第４の側面３６と、で構成される。ここで、別の例として、側面部は複数の部分に区分されずに、全体が円形であるように構成されてよい。
【００３２】
図４は、図１〜図３と別の一実施例に係るマスクケース１を示す。ここで、マスクは、通常、耳にかけるためのひも（耳ひも）を備える。本実施例に係るマスクケース１は、耳ひもも含めて、マスクを適切に収納することができる。
【００３３】
本実施例に係るマスクケース１は、第３の側面３５および第４の側面３６が、マスクの耳ひもを収納できる収納留め部３１Ａおよび収納留め部３１Ｂを含む。収納留め部３１Ａおよび収納留め部３１Ｂは、側面部の閉空間に面する側（内側）の反対側に向かって突出している。収納留め部３１Ａおよび収納留め部３１Ｂは、耳ひもをかけるための溝を有している。
【００３４】
また、本実施例に係るマスクケース１は、複数のマスク抑え部５（マスク抑え部５Ａおよびマスク抑え部５Ｂ）を備える。マスク抑え部５Ａは、第１の側面３３、第３の側面３５および第４の側面３６と接続されるように設けられる。マスク抑え部５Ｂは、第２の側面３４、第３の側面３５および第４の側面３６と接続されるように設けられる。使用者は、収納留め部３１Ａおよび収納留め部３１Ｂにマスクの耳ひもをかけてから、マスクの上下（鼻側および顎側）部分をそれぞれマスク抑え部５Ａおよびマスク抑え部５Ｂで抑えることによって、マスクをはみ出させることなく蓋２を閉じることができる。
【００３５】
ここで、蓋２は、閉じられた場合に、収納留め部３１Ａおよび収納留め部３１Ｂと嵌合する留め部２１Ａおよび留め部２１Ｂを含む。蓋２が閉じられた場合に、留め部２１Ａおよび留め部２１Ｂの少なくとも一部は、収納留め部３１Ａおよび収納留め部３１Ｂの溝に嵌まって、蓋２が閉じられた状態を保つ。つまり、収納留め部３１Ａおよび収納留め部３１Ｂは、マスクの耳ひもの収納部品と留め具の両方の機能を有する。
【００３６】
図５は、図１〜図４と別の一実施例に係るマスクケース１を示す。マスクケース１は、飲食店での食事等で使用されるため装飾性を備えてよい。本実施例に係るマスクケース１は、マスクを衛生的に保つ効果を高めて、かつ、装飾性を向上させることができる。
【００３７】
本実施例に係るマスクケース１は、蓋２の閉空間に面する部分が凹凸を有するように形成される。このことにより、マスクが収納された場合に、蓋２の内面２２がマスクに接触しやすくなる。換言すると、蓋２の内面２２が全くマスクに接触しないということがほぼなくなる。よって、蓋２の少なくとも閉空間に面する部分（内面２２側）が凹凸を有すれば、マスクに接触した銅の抗菌効果によって、マスクを衛生的に保つ効果が高まる。
【００３８】
ここで、本実施例に係るマスクケース１は、この凹凸が波形であって、蓋２の外面（内面２２の反対側の面）にも現れている。そのため、マスクケース１は蓋２を閉じると、貝殻のような外観となり、装飾性を向上させることができる。
【００３９】
以上のように、マスクケース１は、上記の構成によって、乾燥剤および消毒剤等の部材を必要とせずに、それ自体でマスクを衛生的に保つことができる。
【００４０】
本開示は、上記実施例に限定されるものではなく、実用新案登録請求の範囲に記載された本開示の趣旨を逸脱しない範囲内で種々の変形を含んでいてよい。したがって、このような変形は本開示の範囲に含まれることに留意されたい。例えば、一実施例の一部の構成（例えば収納留め部３１Ａおよび収納留め部３１Ｂ）を別の実施例（例えば図３または図５のマスクケース１）と組み合わせたり、或いは分割したりすることが可能である。
【００４１】
上記の本実施例の説明において、蓋２および本体３の少なくとも閉空間に面する部分は、銅で構成される。ここで、銅の代わりに、抗菌性を有する他の金属が用いられてよい。
【００４２】
また、確認的に記載すると、マスクケース１はマスクが収納される閉空間に面する部分だけでなく、全体が銅で構成されてよい。また、マスクケース１は抗菌性を有する複数の金属で構成されてよい。
【００４３】
また、マスクケース１は、全体が銅（または抗菌性を有する他の金属）で構成される中板を備えてよい。図６は、図２のマスクケース１に中板を加えた構成例を示す。使用者はマスクを、中板を中に挟んで折りたたみ、マスクケース１に収納することができる。収納されたマスクは、折りたたまれた内側の全体が中板に接触して保管されるため、接触による抗菌作用を高めることができる。また、図６の例では、中板は可動のマスク抑え部５としての機能も有する。そのため、収納されたマスクは、折りたたまれた外側も、蓋２の内面２２および本体３の底面部３２等に接触する。また、中板は蓋２と同様に、本体３に対して可動であるため、再使用の際に使用者がマスクを取り出しやすい。
【符号の説明】
【００４４】
１  マスクケース
２  蓋
３  本体
４  接続部
５  マスク抑え部
５Ａ  マスク抑え部
５Ｂ  マスク抑え部
２１  留め部
２１Ａ  留め部
２１Ｂ  留め部
２２  内面
３１  留め部
３１Ａ  収納留め部
３１Ｂ  収納留め部
３２  底面部
３２Ａ  平坦底面部
３２Ｂ  突出底面部
３３  第１の側面
３４  第２の側面
３５  第３の側面
３６  第４の側面
【図１】
0003228159.tif 000003
【図２】
0003228159.tif 000004
【図３】
0003228159.tif 000005
【図４】
0003228159.tif 000006
【図５】
0003228159.tif 000007
【図６】
0003228159.tif 000008